(57)【要約】【課題】  画像形成不良の発生を抑制することを目的とする。【解決手段】  感光ドラム６１と、感光ドラム６１と接触して転写ニップＮ１を形成する転写ローラ６４と、ヒータを有する加熱ローラ７１と、加熱ローラ７１と接触して定着ニップＮ２を形成する加圧ローラ７２と、転写ニップＮ１から定着ニップＮ２へ用紙を案内するための案内面１１０を有する案内部材１００と、を備えるレーザプリンタ１において、案内部材１００の案内面１１０は、第１案内面１２０と、第２案内面１３０と、を備えている。  第２案内面１３０は、第１案内面１２０との間に案内方向Ｘの下流側に向けて凹む凹部分１５０を形成している。用紙幅方向における凹部分１５０の寸法は、案内方向Ｘの下流側に向かうにつれて案内面１１０の面積が大きくなるように、案内方向Ｘの下流側に向かうにつれて小さくなっている。【選択図】図３
2016075793.tif 000002
【特許請求の範囲】
【請求項１】
感光体と、
前記感光体との間に現像剤像を用紙に転写するための転写ニップを形成する転写部材と、
ヒータを有する加熱部材と、
前記加熱部材との間に現像剤像を用紙に定着するための定着ニップを形成する加圧部材と、
前記転写ニップから前記定着ニップへ向けて用紙を用紙幅方向と直交する所定の案内方向へ案内する案内面を有する案内部材と、を備え、
前記案内部材の案内面は、
前記案内方向における前記案内面の上流端から前記案内方向の下流側に向けて延びる第１案内面と、
用紙の用紙幅方向における中心を挟んで前記第１案内面とは反対側に配置されるとともに前記案内方向における前記案内面の上流端から前記案内方向の下流側に向けて延び、前記第１案内面との間に案内方向の下流側に向けて凹む凹部分を形成する第２案内面と、を備え、
用紙幅方向における前記凹部分の寸法は、案内面の面積が前記案内方向の下流側へ向かうにつれて大きくなるように、前記案内方向の下流側に向かうにつれて小さくなることを特徴とする画像形成装置。
【請求項２】
前記凹部分は、用紙幅方向における案内面の中心を含むように配置されている、ことを特徴とする画像形成装置。
【請求項３】
前記凹部分は、傾斜を有する、ことを特徴とする請求項１または２に記載の画像形成装置。
【請求項４】
前記凹部分は、弧形状を有する、ことを特徴とする請求項３に記載の画像形成装置。
【請求項５】
前記案内部材の前記案内面は、前記第１案内面と前記第２案内面との間に第３案内面を備え、
前記案内方向における第３案内面の上流端は、用紙厚み方向において前記第１案内面および前記第２案内面から離れて配置され、
前記案内方向における第３案内面の下流端は、用紙厚み方向において前記第１案内面および第２案内面に連なり、
前記第３案内面は、前記案内方向の下流側に向かうにつれて前記第１案内面および前記第２案内面に近づくように傾斜する、ことを特徴とする請求項１から４のいずれか１項に記載の画像形成装置。
【請求項６】
前記第３案内面は、前記第１案内面および前記第２案内面に近づくように直線状に傾斜する、ことを特徴とする請求項５に記載の画像形成装置。
【請求項７】
感光体と転写部材とを有する感光体カートリッジを備えた本体ケーシングに着脱可能に設けられ、ヒータを有する加熱部材と、前記加熱部材と接触して定着ニップを形成する加圧部材と、用紙を前記感光体と前記転写部材との間で形成された転写ニップから前記定着ニップへ向けて案内するための案内面を有する案内部材と、を備えた定着装置であって、
前記案内部材の前記案内面は、
前記案内方向における前記案内面の上流端から前記案内方向の下流側に向けて延びる第１案内面と、
用紙の用紙幅方向における中心を挟んで前記第１案内面とは反対側に配置されるとともに前記案内方向における前記案内面の上流端から前記案内方向の下流側に向けて延び、前記第１案内面との間に案内方向の下流側に向けて凹む凹部分を形成する第２案内面と、を備え、
用紙幅方向における前記凹部分の寸法は、案内面の面積が前記案内方向の下流側へ向かうにつれて大きくなるように、前記案内方向の下流側に向かうにつれて小さくなることを特徴とする定着装置。
【発明の詳細な説明】
【技術分野】
【０００１】
本発明は、用紙を案内するための案内部材を備えた画像形成装置および案内部材に関する。
【背景技術】
【０００２】
従来、電子写真方式の画像形成装置は、感光ドラムと、感光ドラムとの間に転写ニップを形成する転写ローラと、加熱ローラと、加熱ローラとの間に定着ニップを形成する加圧ローラと、を備えている。画像形成装置は、さらに、転写ニップから定着ニップに向けて用紙を案内するための案内部材と、を備えている。
【０００３】
この案内部材は、用紙を案内する複数のリブと、複数のリブよりも用紙の案内方向の下流側に配置された平面部と、を備えている。複数のリブは、用紙の案内方向における案内部材の上流端から案内部材の寸法の１／２までの範囲にのみ配置されている。
【先行技術文献】
【特許文献】
【０００４】
【特許文献１】特開２００４−１１７９９２
【発明の概要】
【発明が解決しようとする課題】
【０００５】
しかしながら、このような構成によれば、用紙が複数のリブと平面部との境界を通過するときに、用紙と案内部材との接触面積は、急激に大きくなる。
【０００６】
そのため、複数のリブと平面部との境界にて用紙の搬送抵抗が急激に増加してしまう。すると、用紙が転写ニップに挟持された状態で、用紙の搬送が一時的に停止してしまったり、用紙の搬送速度が一時的に低下してしまう。すると、転写ニップにて用紙に画像が転写されたときに、当該画像の一部が延びたり、縮んだりしてしまい、画像形成不良が発生する。
【０００７】
そこで、本発明は、上記の問題に鑑みなされたものであり、画像形成不良の発生を抑制することを目的とする。
【課題を解決するための手段】
【０００８】
（１）上記の課題を達成するために、本発明の画像形成装置は、感光体と、感光体との間に現像剤像を用紙に転写するための転写ニップを形成する転写ローラと、ヒータを有する加熱部材と、加熱部材との間に現像剤像を用紙に定着するための定着ニップを形成する加圧部材と、転写ニップから定着ニップへ向けて用紙を用紙幅方向と直交する所定の案内方向へ案内する案内面を有する案内部材と、を備えている。
【０００９】
また、案内部材の案内面は、案内方向における案内面の上流端から案内方向の下流側に向けて延びる第１案内面と、用紙の用紙幅方向における中心を挟んで第１案内面とは反対側に配置されるとともに案内方向における案内面の上流端から案内方向の下流側に向けて延び、第１案内面との間に案内方向の下流側に向けて凹む凹部分を形成する第２案内面と、を備えている。
【００１０】
また、用紙幅方向における凹部分の寸法は、案内面の面積が案内方向の下流側へ向かうにつれて大きくなるように、案内方向の下流側に向かうにつれて小さくなる。
【００１１】
このような構成によれば、用紙と案内部材の案内面との接触面積は、案内方向の下流側に向かうにつれて徐々に大きくなる。そのため、用紙が案内部材にて案内されているときに、用紙の搬送抵抗が急激に増加し、用紙の搬送が一時的に停止してしまったり、用紙の搬送速度が一時的に低下してしまうことを抑制できる。その結果、画像形成不良の発生を抑制できる。
【００１２】
（２）凹部分は、用紙幅方向における案内面の中心を含んでいてもよい。
【００１３】
このような構成によれば、案内面の上を通過する用紙は、案内方向の下流側に向かうにつれて、用紙幅方向おける両端部から中央部に向けて徐々に案内面に支持される。そのため、用紙が案内面の上を案内されているときに、案内方向に対して用紙が傾きにくい。その結果、用紙の挙動が安定し、用紙を安定して定着ニップに向けて搬送することができる。
【００１４】
（３）凹部分は、傾斜を有していてもよい。
【００１５】
このような構成によれば、用紙と案内部材との接触面積は、傾斜に沿って徐々に大きくなる。そのため、用紙が案内部材にて案内されているときに、用紙の搬送抵抗が急激に増加し、用紙の搬送が一時的に停止してしまったり、用紙の搬送速度が一時的に低下してしまうことをより抑制できる。その結果、画像形成不良の発生を抑制できる。
【００１６】
（４）凹部分は、弧形状を有していてもよい。
【００１７】
このような構成によれば、用紙が案内方向における凹部分の下流端を通過するときに、用紙と案内部材との接触面積は、弧形状に沿って徐々に大きくなる。そのため、用紙が案内部材にて案内されているときに、用紙の搬送抵抗が急激に増加し、用紙の搬送が一時的に停止してしまうことをより抑制できる。その結果、画像形成不良の発生を抑制できる。
【００１８】
（５）案内部材の案内面は、第１案内面と第２案内面との間に第３案内面を備えていてもよい。また、案内方向における第３案内面の上流端は、用紙厚み方向において第１案内面および第２案内面から離れて配置されていてもよい。また、案内方向における第３案内面の下流端は、用紙の厚み方向において第１案内面および第２案内面と連なっていてもよい。また、第３案内面は、案内方向の下流側に向かうにつれて第１案内面および第２案内面に近づくように傾斜していてもよい。
【００１９】
このような構成によれば、第１案内面と第２案内面との間の間隔よりも小さいサイズの用紙を案内面上に案内することができる。その結果、複数サイズの用紙を案内することができる。
【００２０】
また、小さいサイズの用紙は、案内方向の下流側では、第１案内面および第２案内面の上を案内される。そのため、案内方向における案内面の下流側では、異なるサイズの用紙を同一の案内面にて案内することとなる。その結果、複数サイズの用紙を安定して定着ニップに向けて案内することができる。
【００２１】
（６）第３案内面は、第１案内面および第２案内面に近づくように直線状に傾斜していてもよい。
【００２２】
このような構成によれば、第３案内面の上を案内される小さいサイズの用紙は、第１案内面および第２案内面に向けて直線状に案内される。その結果、小さいサイズの用紙を安定して定着ニップに向けて案内することができる。
【００２３】
（７）また、上記の課題を達成するために、本発明の定着装置は、感光体と転写部材とを有する感光体カートリッジを備えた本体ケーシングに着脱可能に設けられ、ヒータを有する加熱部材と、前記加熱部材と接触して定着ニップを形成する加圧部材と、用紙を感光体と転写部材との間で形成された転写ニップから定着ニップへ向けて案内するための案内面を有する案内部材と、を備えている。また、案内部材の案内面は、案内方向における案内面の上流端から案内方向の下流側に向けて延びる第１案内面と、用紙の用紙幅方向における中心を挟んで第１案内面とは反対側に配置されるとともに案内方向における案内面の上流端から案内方向の下流側に向けて延び、第１案内面との間に案内方向の下流側に向けて凹む凹部分を形成する第２案内面と、を備えている。また、用紙幅方向における凹部分の寸法は、案内面の面積が案内方向の下流側へ向かうにつれて大きくなるように、案内方向の下流側に向かうにつれて小さくなっている。
【００２４】
このような構成によれば、用紙と案内部材の案内面との接触面積は、案内方向の下流側に向かうにつれて徐々に大きくなる。そのため、用紙が案内部材にて案内されているときに、用紙の搬送抵抗が急激に増加し、用紙の搬送が一時的に停止してしまったり、用紙の搬送速度が一時的に低下してしまうことを抑制できる。その結果、画像形成不良の発生を抑制できる。
【図面の簡単な説明】
【００２５】
【図１】レーザプリンタの断面の模式図。
【図２】感光ドラム、転写ローラおよび定着装置を拡大した拡大図。
【図３】案内部材の斜視図。
【図４】図３のＡ−Ａ’断面図。
【図５】案内部材の断面図であって、図５（ａ）は、図３のＢ−Ｂ’断面であり、図５（ｂ）は、図３のＣ−Ｃ’断面図であり、図５（ｃ）は、図３のＤ−Ｄ’断面図である。
【図６】案内部材の断面図であって、図６（ａ）は、図３のＢ−Ｂ’断面図であり、図６（ｂ）は、図３のＣ−Ｃ’断面図であり、図６（ｃ）は、図３のＤ−Ｄ’断面図である。
【図７】案内部材の変形例を説明するための説明図。
【発明を実施するための形態】
【００２６】
＜実施形態１＞
本発明の実施形態１について、適宜図面を参照しながら詳細に説明する。
【００２７】
１．レーザプリンタ１の全体構成
まず、図１を参照して、レーザプリンタ１の全体構成を説明する。レーザプリンタ１は、本体フレーム１０と、用紙を給紙するための給紙部２０と、給紙部２０において給紙された用紙に画像を形成するための画像形成部３０と、画像形成部３０において画像が形成された用紙を本体フレーム１０の外部へと排紙するための排紙部４０と、を備えている。
【００２８】
本体フレーム１０は、給紙部２０と、画像形成部３０と、排紙部４０と、を支持している。給紙部２０は、内部に用紙を収容するための給紙カセット２１と、給紙カセット２１からピックアップした用紙を画像形成部３０に向けて搬送するための給紙ローラ２２と、を備えている。給紙カセット２１は、本体フレーム１０に着脱可能に構成されており、本体フレーム１０の底部に配置されている。
【００２９】
画像形成部３０は、本体フレーム１０の後側に配置された露光装置５０と、露光装置５０の前側に配置された感光体カートリッジ６０と、感光体カートリッジ６０の上側に配置された定着装置７０と、を備えている。
【００３０】
露光装置５０は、感光ドラム６１の外周面に静電潜像を形成するように構成されている。感光体カートリッジ６０は、本体フレーム１０に着脱可能に構成され、外周面上に静電潜像を形成するための感光ドラム６１と、感光ドラム６１の外周面上を一様に帯電させるための帯電器６２と、感光ドラム６１と接触して感光ドラムの外周面上に現像剤を供給する現像ローラ６３と、感光ドラム６１との間に転写ニップＮ１を形成して現像剤像を用紙に転写するための転写ローラ６４と、を備えている。尚、感光ドラム６１は、感光体の一例であり、転写ローラ６４は、転写部材の一例である。
【００３１】
定着装置７０は、用紙に形成された現像剤像を定着するために配置され、ヒータを有している加熱ローラ７１と、加熱ローラ７１との間に定着ニップＮ２を形成する加圧ローラ７２と、を備えている。尚、加熱ローラ７１は、加熱部材の一例であり、加圧ローラ７２は、加圧部材の一例である。
【００３２】
排紙部４０は、定着ニップＮ２を通過した用紙を本体フレーム１０の外部へと排紙するように構成されている。
【００３３】
２．定着装置７０の構成
次に、図２〜図５を参照して、定着装置７０の構成を説明する。定着装置７０は、図２に示すように、加熱ローラ７１と、加圧ローラ７２と、定着フレーム７３と、案内部材１００と、を備えている。
【００３４】
加熱ローラ７１は、内部に設けられたヒータによって所定の温度（１７０℃〜２００℃の範囲内の温度）に加熱される。加圧ローラ７２は、バネによって加熱ローラ７１に向かって付勢される。これにより、加圧ローラ７２は、加熱ローラ７１との間に定着ニップＮ２を形成する。定着フレーム７３は、加熱ローラ７１と加圧ローラ７２とを収容している。案内部材１００は、案内方向Ｘにおいて転写ニップＮ１よりも上流側、かつ、案内方向Ｘにおいて定着ニップＮ２よりも下流側に配置され、用紙を転写ニップＮ１から定着ニップＮ２へ向かう所定の案内方向Ｘへ案内する案内面１１０を有している。
【００３５】
また、案内面１１０は、図３に示すように、第１案内面１２０と、第２案内面１３０と、第３案内面１４０と、を備えている。
【００３６】
第１案内面１２０は、用紙幅方向における第１の用紙Ｐ１の一方側を支持するように構成され、用紙幅方向における案内面１１０の中心Ｙから用紙幅方向における案内部材１００の一端に亘って配置されている。尚、第１の用紙Ｐ１は、Ａ４サイズの用紙のことであり、案内面１１０の中心Ｙは、案内面１１０の上を搬送される第１の用紙Ｐ１の用紙幅方向の中心のことである。
【００３７】
また、第１案内面１２０は、案内方向Ｘにおける案内面１１０の上流端１１１から案内方向Ｘの下流側に向けて延びている。また、用紙幅方向における第１案内面１２０の寸法は、案内方向Ｘの下流側に向かうにつれて大きくなる。具体的には、案内方向Ｘにおける第１案内面１２０の下流端１２２の寸法は、案内方向Ｘにおける第１案内面１２０の上流端１２１の寸法よりも大きい。そのため、第１案内面１２０の面積は、案内方向Ｘの下流側に向かうにつれて大きくなる。
【００３８】
第２案内面１３０は、用紙幅方向における第１の用紙Ｐ１の他方側を支持するように構成され、用紙幅方向における案内面１１０の中心Ｙから用紙幅方向における案内部材１００の他端に亘って配置されている。言い換えると、第２案内面１３０は、用紙幅方向における案内面１１０の中心Ｙを挟んで第１案内面１２０とは反対側に配置されている。
【００３９】
また、第２案内面１３０は、案内方向Ｘにおける案内面１１０の上流端１１１から案内方向Ｘの下流側に向けて延びている。また、用紙幅方向における第２案内面１３０の寸法は、案内方向Ｘの下流側に向かうにつれて大きくなる。具体的には、案内方向Ｘにおける第２案内面１３０の下流端１３２の寸法は、案内方向Ｘにおける第２案内面１３０の上流端１３１の寸法よりも大きくなる。そのため、第２案内面１３０の面積は、案内方向Ｘの下流側に向かうにつれて大きくなる。
【００４０】
また、案内方向Ｘにおける第２案内面１３０の下流端１３２は、案内方向Ｘにおける第１案内面１２０の下流端１２２と連なる。また、案内方向Ｘにおける案内面１１０の下流端１１２は、第１案内面１２０の下流端１２２と第２案内面１３０の下流端１３２と連なる。そのため、用紙幅方向における案内面１１０の下流端１１２の寸法は、用紙幅方向における案内面１１０の上流端１１１の寸法よりも大きい。
【００４１】
また、用紙幅方向における第１案内面１２０の上流端１２１と第２案内面１３０の上流端１３１との間の寸法は、用紙幅方向における第１の用紙Ｐ１の寸法よりも小さい。また、用紙幅方向における第１案内面１２０の上流端１２１と第２案内面１３０の上流端１３１との間の寸法は、用紙幅方向における第２の用紙Ｐ２の寸法よりも大きい。尚、第２の用紙Ｐ２は、はがきのことである。
【００４２】
また、第２案内面１３０は、第１案内面１２０との間に案内方向Ｘの下流側に向けて凹む凹部分１５０を形成している。用紙幅方向における凹部分１５０の寸法は、案内方向Ｘの下流側に向かうにつれて案内面１１０の面積が大きくなるように、案内方向Ｘの下流側に向かうにつれて小さくなっている。
【００４３】
具体的には、凹部分１５０は、弧形状を有し、案内方向Ｘにおける案内面１１０の上流端１１１から下流側に向けて凹んでいる。また、凹部分１５０は、案内方向Ｘにおける案内面１１０の下流端１１２よりも案内方向Ｘの上流側に、案内面１１０の中心Ｙを含むように配置されている。
【００４４】
第３案内面１４０は、第２の用紙Ｐ２を定着ニップＮ２へ向けて案内するように構成され、第１案内面１２０と第２案内面１３０との間に配置されている。
【００４５】
また、案内方向Ｘにおける第３案内面１４０の上流端１４１は、図４に示すように、用紙厚み方向において第１案内面１２０から離れている。一方、案内方向Ｘにおける第３案内面１４０の下流端１４２は、第１案内面１２０と連なる。第３案内面１４０は、案内方向Ｘの下流側に向かうにつれて、第１案内面１２０に近づくように、第１案内面１２０に対して傾斜している。さらに、第３案内面１４０の傾斜は、第１案内面１２０に対して直線状に構成されている。
【００４６】
３．用紙が案内面１１０上を案内される過程
次に、図５および図６を参照して、第１の用紙Ｐ１および第２の用紙Ｐ２のそれぞれが、案内面１１０の上を案内される過程について説明する。まず、図５（ａ）〜図５（ｃ）を参照して、第１の用紙Ｐ１が案内面１１０の上を案内される過程について説明する。
【００４７】
転写ニップＮ１を通過した第１の用紙Ｐ１の幅方向の両端部は、図５（ａ）に示すように、第１案内面１２０の上流端１２１と第２案内面１３０の上流端１３１と接触する。
【００４８】
その後、第１の用紙Ｐ１が案内方向Ｘの下流側に案内されるにつれて、用紙幅方向における第１案内面１２０および第２案内面１３０の寸法は、大きくなる。そのため、案内面１１０の面積は、図５（ｂ）に示すように、増加する。
【００４９】
その後、第１の用紙Ｐ１の先端は、図５（ｃ）に示すように、第１案内面の下流端１２２および第２案内面の下流端１３２に到達する。言い換えると、第１の用紙Ｐ１の先端は、案内面１１０の下流端１１２に到達する。すると、用紙幅方向における第１の用紙Ｐ１の全域は、案内面１１０の下流端１１２と接触する。そのため、第１の用紙Ｐ１は、定着ニップＮ２に沿った状態で搬送される。
【００５０】
次に、図６（ａ）〜図６（ｃ）を参照して、第２の用紙Ｐ２が案内部材１００によって案内される過程について説明する。転写ニップＮ１を通過した第２の用紙Ｐ２は、図６（ａ）に示すように、第３案内面１４０の上流端１４１と接触する。このとき、用紙幅方向における第２の用紙Ｐ２の略全域が、第３案内面１４０と接触する。
【００５１】
その後、図６（ｂ）に示すように、第２の用紙Ｐ２が案内方向Ｘに沿って案内されるにつれて、用紙幅方向における第１案内面１２０および第２案内面１３０の寸法は、大きくなり、第３案内面１４０は、第１案内面１２０および第２案内面１３０に近づく。そのため、第２の用紙Ｐ２は、第１案内面１２０および第２案内面１３０に近づくように搬送される。
【００５２】
その後、第２の用紙Ｐ２が第３案内面の上を通過した後に、第２の用紙Ｐ２の先端は、図６（ｃ）に示すように、第１案内面１２０の下流端１２２および第２案内面１３０の下流端１３２に到達する。すなわち、第２の用紙Ｐ２の先端は、案内面１１０の下流端１１２に到達する。すると、用紙幅方向における第２の用紙Ｐ２の略全域は、案内面１１０と接触する。そのため、第２の用紙Ｐ２は、定着ニップＮ２に沿った状態で搬送される。
【００５３】
４．実施形態１の作用効果
（１）第２案内面１３０は、第１案内面１２０との間に案内方向Ｘの下流側に向けて凹む凹部分１５０を形成している。また、用紙幅方向における凹部分１５０の寸法は、案内面１１０の面積が案内方向Ｘの下流側に向かうにつれて大きくなるように、案内方向Ｘの下流側に向かうにつれて小さくなる。
【００５４】
このような構成によれば、案内部材１００の案内面１１０の面積は、案内方向Ｘの下流側に向かうにつれて徐々に大きくなる。そのため、用紙が案内部材１００の上を案内されているときに、用紙の搬送抵抗が急激に増加し、用紙の搬送が一時的に停止してしまうことを抑制できる。その結果、画像形成不良の発生を抑制できる。
【００５５】
（２）凹部分１５０は、用紙幅方向における案内面１１０の中心Ｙを含んでいる。
【００５６】
このような構成によれば、案内面１１０の上を通過する用紙は、案内方向Ｘの下流側に向かうにつれて、用紙幅方向おける両端部から中央部に向けて徐々に案内面１１０に支持される。そのため、用紙が案内面１１０の上を案内されているときに、案内方向Ｘに対して用紙が傾きにくい。その結果、用紙の挙動が安定し、用紙を安定して定着ニップＮ２に向けて搬送することができる。
【００５７】
（３）凹部分１５０は、弧形状を有している。
【００５８】
このような構成によれば、案内面１１０の面積は、案内方向Ｘの下流側に向かうにつれて弧形状に沿って大きくなる。そのため、案内面１１０の面積は、案内方向Ｘの下流側に向かうにつれて徐々に大きくなる。その結果、用紙の搬送抵抗が急激に増加してしまい、用紙の搬送速度が一時的に低下することや、用紙の搬送が一時的に停止してしまうことをより抑制できる。
【００５９】
（４）案内部材１００の案内面１１０は、第１案内面１２０と第２案内面１３０との間に第３案内面１４０を備えている。また、案内方向Ｘにおける第３案内面１４０の上流端は、用紙厚み方向において第１案内面１２０および第２案内面１３０から離れて配置されている。また、案内方向Ｘにおける第３案内面１４０の下流端は、用紙厚み方向において第１案内面１２０および第２案内面１３０と連なる。さらに、第３案内面１４０は、案内方向Ｘの下流側に向かうにつれて第１案内面１２０および第２案内面１３０に近づく。
【００６０】
このような構成によれば、第１案内面１２０と第２案内面１３０との間の間隔よりも小さい第２の用紙Ｐ２を定着ニップＮ２に向けて案内することができる。
【００６１】
その結果、複数サイズの用紙を安定して定着ニップＮ２に向けて案内することができる。
【００６２】
（５）第３案内面１４０は、第１案内面１２０に近づくように直線状に傾斜するように構成されている。
【００６３】
このような構成によれば、第３案内面１４０の上を案内される第２の用紙Ｐ２は、第１案内面１２０に向けて直線状に案内される。その結果、第２の用紙Ｐ２を安定して定着ニップＮ２に向けて案内することができる。
【００６４】
＜変形例＞
本発明の案内部材は、実施形態１に限定されない。たとえば、案内部材２００は、図７に示すように、本体部２１０と、複数のリブ２２０と、を備えていてもよい。
【００６５】
このような構成によれば、用紙と案内部材２００の案内面１１０との接触面積は、より小さくなる。その結果、用紙の搬送抵抗をより低減できる。
【００６６】
また、実施形態１において、第１案内面１２０と第２案内面１３０とによって弧形状の凹部分１５０が形成されていた。しかし、本発明は、これに限定されない。たとえば、凹部分１５０は、段差形状やテーパーを有していてもよい。
【００６７】
また、実施形態１において、案内方向Ｘにおける案内面１１０の下流端１１２の寸法は、第１の用紙Ｐ１の幅よりも大きく構成されていた。しかし、本発明は、これに限定されない。たとえば、案内面１１０の下流端１１２の寸法は、第１の用紙Ｐ１の幅よりも小さく構成されていてもよい。
【００６８】
このような構成によれば、用紙幅方向における第１の用紙Ｐ１の両端部は、案内面１１０の下流端１１２と接触しない。そのため、用紙幅方向における第１の用紙Ｐ１の中心部は、用紙幅方向における第１の用紙Ｐ１の両端部よりも先に定着ニップＮ２に侵入する。その結果、第１の用紙Ｐ１が定着ニップＮ２を通過した後に、第１の用紙Ｐ１に皺が発生してしまうことを抑制できる。
【００６９】
また、実施形態１において、感光体カートリッジ６０は、感光ドラム６１と、転写ローラ６４と、を備えていた。しかし、本発明は、これに限定されない。たとえば、感光ドラム６１は、感光ベルト、二次転写ベルトなどであっていてもよい。転写ローラ６４は、転写ベルト、転写ブラシなどであってもよい。
【００７０】
また、実施形態１において、定着装置７０は、加熱ローラ７１と、加圧ローラ７２と、を備えていた。しかし、本発明は、これに限定されない。たとえば、加熱ローラ７１は、加熱ベルトであってもよい。尚、加熱ベルトは、ＳＵＳ、ニッケルまたはポリイミドなどからなる基層を備えていてもよい。加圧ローラ７２は、加圧ベルトであってもよい。尚、加圧ベルトは、ＳＵＳ、ニッケルまたはポリイミドなどからなる基層を備えていてもよい。
【符号の説明】
【００７１】
１          レーザプリンタ
６０        感光体カートリッジ
６１        感光ドラム
６４        転写ローラ
７０        定着装置
７１        加熱ローラ
７２        加圧ローラ
７３        定着フレーム
１００      案内部材
１１０      案内面
１２０      第１案内面
１３０      第２案内面
１４０      第３案内面
１５０      凹部分
Ｎ１        転写ニップ
Ｎ２        定着ニップ
【図１】
2016075793.tif 000003
【図２】
2016075793.tif 000004
【図３】
2016075793.tif 000005
【図４】
2016075793.tif 000006
【図５】
2016075793.tif 000007
【図６】
2016075793.tif 000008
【図７】
2016075793.tif 000009